(57)【要約】  モバイルネットワークの拡張と、きめ細かなＱｏＳ制御に対応するために、入力パケットが属する論理グループをＶＸＬＡＮヘッダのＶＮＩフィールドに論理ネットワーク番号として設定し、ＱｏＳ情報を予め定義した所定のフィールドにトラフィック制御情報として設定した送信ＶＸＬＡＮヘッダを生成する。該送信ＶＸＬＡＮヘッダを入力パケットに付加してＶＸＬＡＮヘッダ付加出力パケットとしてモバイルバックホールに出力する。モバイルバックホールからＶＸＬＡＮヘッダ付加入力パケットを入力すると、付加された受信ＶＸＬＡＮヘッダを除去し、該受信ＶＸＬＡＮヘッダのＶＮＩフィールドに設定された論理ネットワーク番号と、予め定義した所定のフィールドに設定されたトラフィック制御情報を抽出する。抽出した論理ネットワーク番号とトラフィック制御情報に基づいて、トラフィック制御を行って出力パケットとして出力する。
2015136875.tif 000002
【特許請求の範囲】
【請求項１】
入力パケットを受信し、該入力パケットが属する論理グループと該入力パケットに適用する優先度種別を含むＱｏＳ（Quality of Service）情報を識別する論理グループ／ＱｏＳ識別手段と、
前記論理グループ／ＱｏＳ識別手段が識別した論理グループおよびＱｏＳ情報に基づき、ＶＸＬＡＮ（Virtual eXtensible Local Area network）ヘッダのＶＮＩ（VXLAN Network Identifier）フィールドに前記論理グループに対応する論理ネットワーク番号を設定し、該ＶＸＬＡＮヘッダの予め定義した所定のフィールドに前記ＱｏＳ情報に対応する優先制御を含むトラフィック制御情報を設定して送信ＶＸＬＡＮヘッダを生成し、該送信ＶＸＬＡＮヘッダを、前記入力パケットに付加してＶＸＬＡＮヘッダ付加出力パケットとしてモバイルバックホールに出力するＶＸＬＡＮヘッダ付加手段と、
前記モバイルバックホールからＶＸＬＡＮヘッダ付加入力パケットを入力すると、該ＶＸＬＡＮヘッダ付加入力パケットに付加された受信ＶＸＬＡＮヘッダを除去し、該受信ＶＸＬＡＮヘッダの前記ＶＮＩフィールドに設定された前記論理ネットワーク番号と、予め定義した前記所定のフィールドに設定された前記トラフィック制御情報を抽出するＶＸＬＡＮヘッダ除去手段と、
前記ＶＸＬＡＮヘッダ除去手段が抽出した前記論理ネットワーク番号と前記トラフィック制御情報に基づいて、前記ＶＸＬＡＮヘッダ除去手段が前記受信ＶＸＬＡＮヘッダを除去したパケットに対し、優先制御およびルート分離を含むトラフィック制御を行って出力パケットとして出力するトラフィック制御手段と
を備える通信装置。
【請求項２】
前記ＶＸＬＡＮヘッダの予め定義した所定のフィールドは、少なくとも、前記ＶＮＩフィールドに続く８ビットの予備フィールド、フラグに続く２４ビットの予備フィールドおよび前記ＶＮＩフィールドを構成する２４ビットの一部を使用したフィールドのいずれかのフィールドであることを特徴とする請求項１に記載の通信装置。
【請求項３】
トラフィック状況に基づくトラフィック制御情報を取得して、該トラフィック制御情報を前記ＶＸＬＡＮヘッダ付加手段および前記トラフィック制御手段に出力するトラフィック制御情報取得手段をさらに備え、
前記ＶＸＬＡＮヘッダ付加手段は、前記トラフィック制御情報の通知を受けると、受け取った該トラフィック制御情報に基づいて、前記送信ＶＸＬＡＮヘッダを生成し、
前記トラフィック制御手段は、前記トラフィック制御情報の通知を受けると、受け取った該トラフィック制御情報に基づいて、前記トラフィック制御を行う
ことを特徴とする請求項１または請求項２に記載の通信装置。
【請求項４】
前記トラフィック制御情報取得手段は、ネットワーク状況を集中管理してネットワークトラフィックの状況に応じて各装置にトラフィック制御指示を行うネットワーク管理装置から、前記トラフィック制御情報を取得することを特徴とする請求項３に記載の通信装置。
【請求項５】
前記トラフィック制御情報取得手段は、自装置のパケット処理量に基づいてトラフィック状況を把握し、該トラフィック状況に基づくトラフィック制御情報を生成することを特徴とする請求項３または請求項４に記載の通信装置。
【請求項６】
前記ＶＸＬＡＮヘッダ除去手段は、前記受信ＶＸＬＡＮヘッダに所定の更新フラグが付されている場合、該受信ＶＸＬＡＮヘッダの前記ＶＮＩフィールドに設定された前記論理ネットワーク番号と、予め定義した前記所定のフィールドに設定された前記トラフィック制御情報を、ヘッダ更新情報として前記ＶＸＬＡＮヘッダ付加手段に出力し、
前記ＶＸＬＡＮヘッダ付加手段は、前記ＶＸＬＡＮヘッダ除去手段から前記ヘッダ更新情報の通知を受けると、受け取った該ヘッダ更新情報に基づいて、前記論理グループ／ＱｏＳ識別手段が識別する前記論理グループおよび前記ＱｏＳ情報と、前記送信ＶＸＬＡＮヘッダに設定する前記論理ネットワーク番号および前記トラフィック制御情報の対応関係を更新する
ことを特徴とする請求項１乃至請求項５のいずれかの請求項に記載の通信装置。
【請求項７】
入力パケットを受信し、該入力パケットが属する論理グループと該入力パケットに適用する優先度種別を含むＱｏＳ（Quality of Service）情報を識別し、
ＶＸＬＡＮ（Virtual eXtensible Local Area network）ヘッダのＶＮＩ（VXLAN Network Identifier）フィールドに前記論理グループに対応する論理ネットワーク番号を設定し、該ＶＸＬＡＮヘッダの予め定義した所定のフィールドに前記ＱｏＳ情報に対応する優先制御を含むトラフィック制御情報を設定して送信ＶＸＬＡＮヘッダを生成し、
前記送信ＶＸＬＡＮヘッダを、前記入力パケットに付加してＶＸＬＡＮヘッダ付加出力パケットとしてモバイルバックホールに出力し、
前記モバイルバックホールからＶＸＬＡＮヘッダ付加入力パケットを入力すると、該ＶＸＬＡＮヘッダ付加入力パケットに付加された受信ＶＸＬＡＮヘッダを除去し、
前記受信ＶＸＬＡＮヘッダの前記ＶＮＩフィールドに設定された前記論理ネットワーク番号と、予め定義した前記所定のフィールドに設定された前記トラフィック制御情報を抽出し、
抽出した前記論理ネットワーク番号と前記トラフィック制御情報に基づいて、前記受信ＶＸＬＡＮヘッダを除去したパケットに対し、優先制御およびルート分離を含むトラフィック制御を行って出力パケットとして出力する
ことを特徴とするトラフィック制御方法。
【請求項８】
トラフィック状況に基づくトラフィック制御情報を取得し、
前記トラフィック制御情報を取得すると、取得した該トラフィック制御情報に基づいて、前記送信ＶＸＬＡＮヘッダを生成し、
前記トラフィック制御情報を取得すると、取得した該トラフィック制御情報に基づいて、前記受信ＶＸＬＡＮヘッダを除去したパケットに対し、前記トラフィック制御を行って出力パケットとして出力する
ことを特徴とする請求項７に記載のトラフィック制御方法。
【請求項９】
前記トラフィック制御情報は、ネットワーク状況を集中管理してネットワークトラフィックの状況に応じて各装置にトラフィック制御指示を行うネットワーク管理装置から取得することを特徴とする請求項８に記載のトラフィック制御方法。
【請求項１０】
前記トラフィック制御情報は、自装置のパケット処理量に基づいてトラフィック状況を把握し、該トラフィック状況に基づいて生成した情報であることを特徴とする請求項８または請求項９に記載のトラフィック制御方法。
【発明の詳細な説明】
【技術分野】
【０００１】
本開示は、通信装置およびトラフィック制御方法に関する。
【背景技術】
【０００２】
モバイルネットワークにおいて、ＬＴＥ（Long Term Evolution）の普及により、データサービスの大容量化が進んでいる。特に、スマートフォンの急激な普及により、Ｗｅｂブラウジング、ビデオストリーミング、オンラインゲーム、リアルタイムビデオ等の多様なリアルタイムマルチメディアサービスによるデータトラフィックが爆発的に増大している。【０００３】
このようなサービスに対して、信頼性が高くかつ高品質な音声、映像およびデータのサービスが受けられるような、優れたＱｏＳ（Quality of Service）が期待されている。また、サービス種別や特定のユーザ単位などのより細かい単位での優先制御も求められる。【０００４】
モバイルネットワークの無線基地局からコアネットワーク装置までの経路において、パケットの優先制御を実施する方法として、ＴｏＳ（Type of Service）、ＤＳＣＰ（DiffServ Code Point）またはＣｏＳ（Class of Service）を使う方法がある。【０００５】
ＴｏＳは、ＩＰ（Internet Protocol）ヘッダの中のＴｏＳフィールドの３ビットを使って８段階の優先度が設定できる。ＤＳＣＰは、ＩＰヘッダの中の同じくＴｏＳフィールドをＤＳフィールドと再定義して６ビットを使って６４段階の優先度が設定できる。また、ＣｏＳは、ＩＥＥＥ（The Institute of Electrical and Electronics Engineers, Inc.）８０２．１ＱのＶＬＡＮ（Virtual Local Area Network）におけるＶＬＡＮタグの中のプライオリティフィールドの３ビットを使って８段階の優先度が設定できる。【０００６】
また、モバイルネットワークでは、ネットワークの分離にＶＬＡＮなどを利用している。ＶＬＡＮはＶＬＡＮの識別子であるＶＬＡＮ-ＩＤにより各ＶＬＡＮを識別する。ＶＬＡＮ-ＩＤは、ＶＬＡＮタグの中の１２ビットを使って最大４０９５のＶＬＡＮを識別する。【０００７】
モバイルネットワークにおいてＶｏＩＰ（Voice over Internet Protocol）の品質保証を得ることができる基地局と基地局を集約するルータが特許文献１に開示されている。【０００８】
特許文献１が開示する技術によれば、基地局とルータとの間を、ＶｏＩＰパケットを伝送するマルチリンクグループと、ＶｏＩＰ以外のデータパケットを伝送するマルチリンクグループとで接続する。そして、基地局とルータは、受信したパケットのＴｏＳ（Type of Service）領域を参照することで、送信回線を分け、ＶｏＩＰパケットのみを専用の回線にて送信する。これにより、大量のデータパケットを受信した場合においても、ＶｏＩＰパケットの伝送遅延を防止して、モバイルネットワーク上でＶｏＩＰの品質保証をすることができる。【０００９】
また、大規模なデータセンターにおけるＶＬＡＮ-ＩＤの枯渇を改善する技術が特許文献２に開示されている。【００１０】
特許文献２が開示する技術は、ＶＰＮ（Virtual Private Network）を介してクラウド拠点同士を相互に接続することで、複数のクラウド拠点間を接続するクラウドシステムにおけるＶＬＡＮ-ＩＤの枯渇を改善する技術である。【００１１】
特許文献２によれば、各クラウド拠点には、仮想マシンと、転送装置と、ゲートウェイ装置とが設けられている。そして転送装置は、テナント単位に割り当てられたＶＬＡＮを識別するＶＬＡＮ-ＩＤとは異なるＯｐｅｎＦｌｏｗの技術による識別情報を用いてパケットを転送する。ゲートウェイ装置は、ＶＰＮ終端装置との間では、ＶＬＡＮ-ＩＤを用いてパケットを送受信し、転送装置との間では、上記の別の識別情報を用いてパケットを送受信する。これにより、ＶＬＡＮ-ＩＤを用いたパケット送受信と、ＶＬＡＮ-ＩＤを用いないパケット送受信を分離し、ＶＬＡＮ-ＩＤが一意に割り当てられるべき範囲を局所化してＶＬＡＮ-ＩＤの枯渇を改善する。
【先行技術文献】
【特許文献】
【００１２】
【特許文献１】特開２００９−０２１９１６号公報
【特許文献２】特開２０１３−１６２４１８号公報
【発明の概要】
【発明が解決しようとする課題】
【００１３】
上述したように、モバイルネットワークにおいては、データトラフィックの増大やネットワークの拡張、さらにはきめ細かなＱｏＳ制御に対応するため、モバイルバックホールに大きな進化が求められている。【００１４】
例えば、ＬＴＥにおいて、ＥＰＣ（Evolved Packet Core）が管理するｅＮｏｄｅＢ(evolved Node B)の数が膨大である。このため、たとえネットワークの分離にＶＬＡＮなどを利用しても、上述したようなＶＬＡＮの利用数制限により容易にネットワーク拡張が行えない状況となっている。【００１５】
また、同一無線基地局を複数のオペレータが共有するＲＡＮ(Radio Access Network)  Ｓｈａｒｉｎｇを実施する際には、各オペレータネットワークのＶＬＡＮ設定や、重複を避けたＶＬＡＮ-ＩＤの割り当て等の制限を考慮した設定の調整に手間がかかる。【００１６】
特許文献１では、ＩＰヘッダに含まれるＴｏＳフィールドに優先度が割り当てられる。このＴｏＳフィールドは３ビットである。つまり、最大でも８段階の優先度しか設定できない。したがって、高信頼性、高品質、きめ細かなＱｏＳ制御を必要とするサービスに対応することが難しい。【００１７】
特許文献２では、クラウドシステムが、クラウド拠点のネットワークと広域ネットワークとを含む。クラウド拠点のネットワークには、それまで用いられたＶＬＡＮではなく、Ｏｐｅｎ  Ｆｌｏｗ等の他の技術が用いられる。また、広域ネットワークには、ＶＬＡＮが用いられる。ＶＬＡＮ−ＩＤが割当てられる範囲を局所化したことにより、ＶＬＡＮ−ＩＤの枯渇を改善することが、開示されている。しかし、サービス種別または特定のユーザ単位などの細かい単位での優先制御には対応することが困難である。【００１８】
本発明の例示的な実施形態は、より高い信頼性、高い品質又はきめ細かなＱｏＳ制御等が要求されるサービスに対応できる通信装置およびトラフィック制御方法を提供することにある。
【課題を解決するための手段】
【００１９】
例示的な実施形態における通信装置は、入力パケットを受信し、該入力パケットが属する論理グループと該入力パケットに適用する優先度種別を含むＱｏＳ（Quality of Service）情報を識別する論理グループ／ＱｏＳ識別手段と、前記論理グループ／ＱｏＳ識別手段が識別した論理グループおよびＱｏＳ情報に基づき、ＶＸＬＡＮ（Virtual eXtensible Local Area network）ヘッダのＶＮＩ（VXLAN Network Identifier）フィールドに前記論理グループに対応する論理ネットワーク番号を設定し、該ＶＸＬＡＮヘッダの予め定義した所定のフィールドに前記ＱｏＳ情報に対応する優先制御を含むトラフィック制御情報を設定して送信ＶＸＬＡＮヘッダを生成し、該送信ＶＸＬＡＮヘッダを、前記入力パケットに付加してＶＸＬＡＮヘッダ付加出力パケットとしてモバイルバックホールに出力するＶＸＬＡＮヘッダ付加手段と、前記モバイルバックホールからＶＸＬＡＮヘッダ付加入力パケットを入力すると、該ＶＸＬＡＮヘッダ付加入力パケットに付加された受信ＶＸＬＡＮヘッダを除去し、該受信ＶＸＬＡＮヘッダの前記ＶＮＩフィールドに設定された前記論理ネットワーク番号と、予め定義した前記所定のフィールドに設定された前記トラフィック制御情報を抽出するＶＸＬＡＮヘッダ除去手段と、前記ＶＸＬＡＮヘッダ除去手段が抽出した前記論理ネットワーク番号と前記トラフィック制御情報に基づいて、前記ＶＸＬＡＮヘッダ除去手段が前記受信ＶＸＬＡＮヘッダを除去したパケットに対し、優先制御およびルート分離を含むトラフィック制御を行って出力パケットとして出力するトラフィック制御手段と、を含むことを特徴とする。【００２０】
また、他の例示的な実施形態におけるトラフィック制御方法は、入力パケットを受信し、該入力パケットが属する論理グループと該入力パケットに適用する優先度種別を含むＱｏＳ（Quality of Service）情報を識別し、ＶＸＬＡＮ（Virtual eXtensible Local Area network）ヘッダのＶＮＩ（VXLAN Network Identifier）フィールドに前記論理グループに対応する論理ネットワーク番号を設定し、該ＶＸＬＡＮヘッダの予め定義した所定のフィールドに前記ＱｏＳ情報に対応する優先制御を含むトラフィック制御情報を設定して送信ＶＸＬＡＮヘッダを生成し、前記送信ＶＸＬＡＮヘッダを、前記入力パケットに付加してＶＸＬＡＮヘッダ付加出力パケットとしてモバイルバックホールに出力し、前記モバイルバックホールからＶＸＬＡＮヘッダ付加入力パケットを入力すると、該ＶＸＬＡＮヘッダ付加入力パケットに付加された受信ＶＸＬＡＮヘッダを除去し、前記受信ＶＸＬＡＮヘッダの前記ＶＮＩフィールドに設定された前記論理ネットワーク番号と、予め定義した前記所定のフィールドに設定された前記トラフィック制御情報を抽出し、
抽出した前記論理ネットワーク番号と前記トラフィック制御情報に基づいて、前記受信ＶＸＬＡＮヘッダを除去したパケットに対し、優先制御およびルート分離を含むトラフィック制御を行って出力パケットとして出力することを特徴とする。
【発明の効果】
【００２１】
本発明の例示的な実施形態は、モバイルネットワークの拡張に容易に対応でき、またリアルタイムマルチメディアサービスに対して要求される高信頼性、高品質、きめ細かなＱｏＳ制御に対応することができる。
【図面の簡単な説明】
【００２２】
【図１】第１の例示的な実施形態の通信装置の構成を示すブロック図である。
【図２】第１の例示的な実施形態の通信装置の動作を示すフロー図である。
【図３】第２の例示的な実施形態の背景となるモバイル通信システムのバックホールとコアネットワークを示す概念図である。
【図４】第２の例示的な実施形態のモバイル通信システムのバックホールにおける接続例を示す概念図である。
【図５】第２の例示的な実施形態のモバイル通信システムのバックホールにおける別の接続例を示す概念図である。
【図６】ＶＸＬＡＮフレームを示すフォーマット図である。
【図７】サービス・優先度情報をＶＸＬＡＮヘッダの予備フィールドに割り当てる例を示すフォーマット図である。
【図８】サービス・優先度情報をＶＸＬＡＮヘッダの別の予備フィールドに割り当てる例を示すフォーマット図である。
【図９】サービス・優先度情報をＶＸＬＡＮヘッダのＶＮＩフィールドに割り当てる例を示すフォーマット図である。
【図１０】第２の例示的な実施形態の通信装置の構成を示すブロック図である。
【図１１】第２の例示的な実施形態の通信装置のバックホールへのパケット送信時の動作を示すフロー図である。
【図１２】第２の例示的な実施形態の通信装置のバックホールからのパケット受信時の動作を示すフロー図である。
【発明を実施するための形態】
【００２３】
＜はじめに＞
はじめに、例示的な実施形態に関連する技術についての説明が示される。サーバ仮想化を導入した大規模なデータセンターにおいて、ＶＬＡＮを使った論理ネットワーク数では足りずに、より多くの論理ネットワーク数が求められる可能性がある。これに対して、発明者は、ＩＥＴＦ（Internet Engineering Task Force）にてドラフト段階で議論されているプロトコルのＶＸＬＡＮ(Virtual eXtensible Local Area Network)を活用することを見出した。ＶＸＬＡＮは、８バイトのＶＸＬＡＮヘッダで送信データをカプセル化してＵＤＰ（User Datagram Protocol）パケットとして送信する。ＶＸＬＡＮヘッダには２４ビットのＶＮＩ（VXLAN Network Identifier）が定義されている。このＶＮＩをＶＸＬＡＮ-ＩＤとして論理ネットワークの識別に用いることにより、識別可能な論理ネットワーク数を最大で約１６７７万にすることができる。
【００２４】
そこで、ＶＸＬＡＮをモバイルネットワークに適用して、ＶＮＩ単位でネットワークを分離することにより、ＶＬＡＮ設定の数の制限を解消することを、発明者は、見出した。
【００２５】
さらに、発明者は、ＶＸＬＡＮをモバイルネットワーク上で利用する際に、現状のＶＸＬＡＮの規格ではサービスや優先度を意識することが困難であること、を見出した。すなわち、ＶＸＬＡＮをモバイルネットワークに適用し、ＶＮＩ単位でネットワークを分離することはできるが、より細かい単位の通信経路に基づく、きめ細かな優先制御や品質制御ができない可能性がある。上記のため、発明者は、下記例示的な実施形態にて示される仕組みを提供する。
＜第１の例示的な実施形態＞
図１は、第１の例示的な実施形態の通信装置の構成を示すブロック図である。
【００２６】
尚、実施の形態は例示であり、開示の装置及びシステムは、以下の実施の形態の構成には限定されない。
【００２７】
第１の例示的な実施形態の通信装置１は、論理グループ／ＱｏＳ識別手段１１、ＶＸＬＡＮヘッダ付加手段１２、ＶＸＬＡＮヘッダ除去手段１３およびトラフィック制御手段１４を含む構成となっている。
【００２８】
論理グループ／ＱｏＳ識別手段１１は、入力パケットを受信し、該入力パケットが属する論理グループおよび優先度種別を含むＱｏＳ（Quality of Service）情報を識別する。
【００２９】
ＶＸＬＡＮヘッダ付加手段１２は、ＶＸＬＡＮ（Virtual eXtensible Local Area network）ヘッダに論理グループ／ＱｏＳ識別手段１１が識別した論理グループおよびＱｏＳ情報に基づく情報を設定して送信ＶＸＬＡＮヘッダを生成する。ＶＸＬＡＮヘッダ付加手段１２は、ＶＮＩ（VXLAN Network Identifier）フィールドに論理グループに対応する論理ネットワーク番号を設定し、ＶＸＬＡＮヘッダの予め定義した所定のフィールドにＱｏＳ情報に対応する優先制御を含むトラフィック制御情報を設定する。そして、ＶＸＬＡＮヘッダ付加手段１２は、生成した送信ＶＸＬＡＮヘッダを、入力パケットに付加してＶＸＬＡＮヘッダ付加出力パケットとしてモバイルバックホールに出力する。
【００３０】
ＶＸＬＡＮヘッダ除去手段１３は、モバイルバックホールからＶＸＬＡＮヘッダ付加入力パケットを入力すると、該ＶＸＬＡＮヘッダ付加入力パケットに付加された受信ＶＸＬＡＮヘッダを除去する。ＶＸＬＡＮヘッダ除去手段１３は、該受信ＶＸＬＡＮヘッダのＶＮＩフィールドに設定された論理ネットワーク番号と、予め定義した所定のフィールドに設定されたトラフィック制御情報を抽出する。
【００３１】
トラフィック制御手段１４は、ＶＸＬＡＮヘッダ除去手段１３が抽出した論理ネットワーク番号とトラフィック制御情報に基づいて、受信ＶＸＬＡＮヘッダを除去したパケットに対し、優先制御およびルート分離を含むトラフィック制御を行って出力パケットとして出力する。
【００３２】
次に、第１の例示的な実施形態の通信装置１の動作を説明する。
【００３３】
図２は、第１の例示的な実施形態の通信装置１の動作を示すフロー図である。
【００３４】
なお、本実施形態では、通信装置１が動作することによって、トラフィック制御方法が実施される。よって、第１の実施形態におけるトラフィック制御方法の説明は、以下の通信装置１の動作説明に代わる。
【００３５】
図２の（１）は、通信装置１のモバイルバックホールへのパケット送信時の動作で、（２）は、通信装置１のモバイルバックホールからのパケット受信時の動作である。
【００３６】
通信装置１のモバイルバックホールへのパケット送信時の動作は以下のとおりである。
【００３７】
まず、入力パケットを受信し、該入力パケットが属する論理グループと該入力パケットに適用する優先度種別を含むＱｏＳ（Quality of Service）情報を識別する（Ｓ１０１）。
【００３８】
次に、ＶＸＬＡＮ（Virtual eXtensible Local Area network）ヘッダに、論理グループに対応する論理ネットワーク番号とＱｏＳ情報に対応する優先制御を含むトラフィック制御情報を設定して送信ＶＸＬＡＮヘッダを生成する（Ｓ１０２）。なお、論理ネットワーク番号はＶＮＩ（VXLAN Network Identifier）フィールドに、そして、トラフィック制御情報は該ＶＸＬＡＮヘッダの予め定義した所定のフィールドに設定する。
【００３９】
そして、入力パケットに送信ＶＸＬＡＮヘッダを付加してＶＸＬＡＮヘッダ付加出力パケットとしてモバイルバックホールに出力する（Ｓ１０３）。
【００４０】
一方、通信装置１のモバイルバックホールからのパケット受信時の動作は以下のとおりである。
【００４１】
まず、モバイルバックホールからＶＸＬＡＮヘッダ付加入力パケットを入力する（Ｓ２０１）。
【００４２】
次に、該ＶＸＬＡＮヘッダ付加入力パケットに付加された受信ＶＸＬＡＮヘッダを除去する。そして、受信ＶＸＬＡＮヘッダのＶＮＩフィールドに設定された論理ネットワーク番号と、予め定義した所定のフィールドに設定されたトラフィック制御情報を抽出する（Ｓ２０２）。
【００４３】
抽出した論理ネットワーク番号とトラフィック制御情報に基づいて、受信ＶＸＬＡＮヘッダを除去したパケットに対し、優先制御およびルート分離を含むトラフィック制御を行って出力パケットとして出力する（Ｓ２０３）。
【００４４】
このように本実施形態では、ＶＸＬＡＮヘッダの２４ビット用意されているＶＮＩフィールドに論理ネットワーク番号を設定するように構成したので、ＶＮＩ単位でネットワークを分離することができ、モバイルネットワークの拡張に容易に対応できる。そして、現状のＶＸＬＡＮの規格ではトラフィック制御に必要な情報が定義されていないが、予め定義した所定のフィールドにトラフィック制御情報を設定することにより、より細かい単位の通信経路に基づく、きめ細かな優先制御や品質制御が可能になる。そのため、リアルタイムマルチメディアサービスに対して要求される高信頼性、高品質、きめ細かなＱｏＳ制御に対応することができる。
＜第２の例示的な実施形態＞
次に、第２の例示的な実施形態を説明する。
【００４５】
図３は、本実施形態に関連するモバイル通信システムのバックホールとコアネットワークを示す概念図である。なお、以降の説明において、バックホールはモバイルバックホールを意味するものとする。
【００４６】
本実施形態に関連するモバイル通信システムとして、ＬＴＥを想定する。図示しない移動局に対する無線インタフェースをサポートする無線基地局であるｅＮＢ（eNode B）１００が地理的に複数点在し、バックホール３０は、それらのｅＮＢ１００を収容してコアネットワーク４０に接続するネットワークである。
【００４７】
説明を簡単にするため、本実施形態では、コアネットワークを構成する装置やバックホール中の装置を総称してＬ３−ＳＷ（レイヤ３スイッチ）２００と呼ぶことにする。そして、Ｌ３−ＳＷ２００は、ｅＮＢ１００との間で所定のプロトコルによる通信を行う。また、コアネットワーク４０はＥＰＣ（Evolved Packet Core）とも称する。
【００４８】
詳細は後述するが、ｅＮＢ１００とＬ３−ＳＷ２００の間の通信において、ユーザデータにＶＸＬＡＮヘッダを付加したパケットが所定のプロトコルで送受信される。ｅＮＢ１００およびＬ３−ＳＷ２００はＶＸＬＡＮを処理する機能を有し、ＶＸＬＡＮヘッダのＶＮＩフィールドおよび予め定義した所定のフィールドを使用してネットワーク分離や、サービスや優先度に応じたトラヒック制御を実現する。
【００４９】
本実施形態の通信装置は、ｅＮＢ１００であり、またＬ３−ＳＷ２００でもある。
【００５０】
ＶＸＬＡＮヘッダのＶＮＩフィールドには、接続するネットワーク単位、アプリケーション単位、サービス種別単位、課金種別単位、ユーザ単位、優先度単位などの任意の単位でグループ化して論理ネットワーク番号を設定する。これにより、無線基地局からコアネットワーク装置まで同一のＶＮＩを適用した論理グループに対するルーティング制御を可能とする。そして、予め定義した所定のフィールドにＱｏＳ情報に基づくトラフィック制御情報を設定することにより同一ＶＮＩ内で複数のサービスや優先度を意識することを可能とし、バックホールにおいてサービスや優先度に応じたトラヒック制御を実現する。
【００５１】
図４は、第２の例示的な実施形態のモバイル通信システムのバックホールにおける接続例を示す概念図である。同図は、無線基地局を複数のオペレータで共有するＲＡＮ  Ｓｈａｒｉｎｇを適用する際に、接続オペレータ単位にＶＮＩを設定する例を示す。
【００５２】
ｅＮＢ１０１は、ＥＰＣネットワーク＃Ａおよび＃Ｂに接続する呼を扱い、ｅＮＢ１０２は、ＥＰＣネットワーク＃Ａおよび＃Ｃに接続する呼を扱い、ｅＮＢ１０３は、ＥＰＣネットワーク＃Ｃに接続する呼を扱う例を示す。ＥＰＣネットワークはそれぞれの接続オペレータに対応する。
【００５３】
各ｅＮＢ１０１乃至１０３は、ＶＮＩフィールドに接続オペレータ＃Ａの呼に対してはＶＮＩ＃Ａを、接続オペレータ＃Ｂの呼に対してはＶＮＩ＃Ｂを、そして、接続オペレータ＃Ｃの呼に対してはＶＮＩ＃Ｃを設定してネットワーク分離を行う。
【００５４】
図５は、第２の例示的な実施形態のモバイル通信システムのバックホールにおける別の接続例を示す概念図である。同図は、同一ＶＮＩ内で複数のサービスを意識するために、ＶＸＬＡＮヘッダの予め定義した所定のフィールドにトラフィック制御情報としてサービス種別を設定する例を示す。
【００５５】
ｅＮＢ１００は、接続オペレータ＃Ａの呼において、その呼のサービス種別を識別可能な情報を予め定義した所定のフィールドに設定する。Ｌ３−ＳＷ２００は、設定されたサービス種別情報に対応するトラフィック制御を実行する。サービス種別情報に対応するトラフィック制御などは、Ｌ３−ＳＷ２００よりさらに上位のコアネットワーク装置で実行されても良い。
【００５６】
上述した制御を実行するためのＶＸＬＡＮフレームについて説明する。
【００５７】
図６は、ＶＸＬＡＮフレームを示すフォーマット図である。このＶＸＬＡＮフォーマットは、ＩＥＴＦにて議論されている現状のＶＸＬＡＮの規格と同じである。つまり、ユーザデータを８バイトのＶＸＬＡＮヘッダでカプセル化してＵＤＰパケットとして送信する。
【００５８】
ＶＸＬＡＮヘッダは、８ビットのフラグ部分、２４ビットの予備フィールド、２４ビットのＶＮＩフィールドおよび８ビットの予備フィールドで構成される。そして、このＶＮＩフィールドにネットワークや通信経路を任意の条件で分離するための論理ネットワーク番号を設定する。
【００５９】
図７乃至図９は、ＶＸＬＡＮヘッダの所定のフィールドにＱｏＳ情報に対応する優先度情報やサービス種別情報をトラフィック制御情報として設定する例を示す。
【００６０】
図７は、トラフィック制御情報をＶＸＬＡＮヘッダの予備フィールドに割り当てる例を示すフォーマット図である。ここでは、ＶＮＩフィールドに続く８ビットの予備フィールドに優先度情報やサービス種別情報をトラフィック制御情報として設定する例を示す。設定する情報として、ＩＥＥＥ８０２．１ｐで規定される優先度値（ＣｏＳ）や３ＧＰＰ  （ＴＳ２３．２０３，  ＴＳ２９．２８１）で規定されるＱＣＩ(QoS Class identifier)、Ｓｅｒｖｉｃｅ  Ｃｌａｓｓ  Ｉｎｄｉｃａｔｏｒを例として設定している。
【００６１】
図８は、トラフィック制御情報をＶＸＬＡＮヘッダの別の予備フィールドに割り当てる例を示すフォーマット図である。ここでは、フラグに続く２４ビットの予備フィールドに優先度情報やサービス種別情報をトラフィック制御情報として設定する例を示す。
【００６２】
また、図９は、トラフィック制御情報をＶＸＬＡＮヘッダのＶＮＩフィールドに割り当てる例を示すフォーマット図である。ここでは、２４ビットのＶＮＩフィールドの一部に優先度情報やサービス種別情報をトラフィック制御情報として設定する例を示す。
【００６３】
なお、設定情報としてＣｏＳ、ＱＣＩ、Ｓｅｒｖｉｃｅ  Ｃｌａｓｓ  Ｉｎｄｉｃａｔｏｒを例に示したが、これらに限られることなく、トラフィック制御情報として用いられる任意に定義した情報を使用してかまわない。
【００６４】
上述した機能を備える本実施形態の通信装置の構成と動作を説明する。
【００６５】
図１０は、第２の例示的な実施形態の通信装置２の構成を示すブロック図である。なお、本実施形態の通信装置２は、図３に示した概念図のｅＮＢ１００であり、またＬ３−ＳＷ２００でもある。図１０は、通信装置２をｅＮＢ１００と想定した場合の構成を示すブロック図である。
【００６６】
通信装置２は、バックホールへのパケット送信側の構成として、論理グループ／ＱｏＳ識別部２１、ＶＸＬＡＮヘッダ生成部２２およびＶＸＬＡＮヘッダ付加部２３を含む構成となっている。また、バックホールからのパケット受信側の構成として、ＶＸＬＡＮヘッダ除去部２４、ＶＸＬＡＮヘッダ解析部２５およびトラフィック制御部２６を含む構成となっている。
【００６７】
第１の例示的な実施形態における論理グループ／ＱｏＳ識別手段１１は、論理グループ／ＱｏＳ識別部２１に相当し、ＶＸＬＡＮヘッダ付加手段１２は、ＶＸＬＡＮヘッダ生成部２２およびＶＸＬＡＮヘッダ付加部２３に相当する。そして、第１の例示的な実施形態におけるＶＸＬＡＮヘッダ除去手段１３は、ＶＸＬＡＮヘッダ除去部２４とＶＸＬＡＮヘッダ解析部２５に相当し、トラフィック制御手段１４はトラフィック制御部２６に相当する。
【００６８】
さらに通信装置２は、移動局との通信インタフェースをサポートする無線インタフェース部２８と、バックホールを介したコアネットワーク装置との通信インタフェースを司るバックホールインタフェース部２９を含む構成となっている。
【００６９】
また、通信装置２は、ネットワークに設置され、ネットワーク状況を集中管理するネットワーク管理装置からトラフィック制御に関わる情報を取得するトラフィック制御情報取得部２７も含む。
【００７０】
論理グループ／ＱｏＳ識別部２１は、無線インタフェース２８から入力パケットを受信し、該入力パケットが属する論理グループおよびＱｏＳ情報を識別する。ここでは、前述したＶＸＬＡＮヘッダのＶＮＩおよび所定のフィールドに設定する情報を識別して抽出する。
【００７１】
ＶＮＩおよび所定のフィールドに対する設定値の付与ルールは、ネットワーク設計時に予め指定しておく。論理グループ／ＱｏＳ識別部２１は、ユーザ識別子、ＭＡＣ（Media Access Control）アドレス、ＶＬＡＮタグ、ＩＰアドレス、ＩＰヘッダ等から予め指定された情報を入力パケットから識別して抽出する。
【００７２】
ＶＸＬＡＮヘッダ生成部２２は、論理グループ／ＱｏＳ識別部２１から通知された情報を、ＶＮＩおよび所定のフィールドに対する設定値の付与ルールに従って、ＶＮＩおよび所定のフィールドに値を設定してＶＸＬＡＮヘッダを生成する。つまり、ＶＸＬＡＮヘッダ生成部２２は、論理グループ／ＱｏＳ識別部２１が識別して抽出した情報とＶＮＩおよび所定のフィールドに設定する値との対応関係を示す情報を予め保持している。ＶＸＬＡＮヘッダ生成部２２が生成するＶＸＬＡＮヘッダを送信ＶＸＬＡＮヘッダとも称する。
【００７３】
無線基地局からコアネットワーク装置まで同一のルールでルーティング制御を行う単位でグループ化した値が論理ネットワーク番号としてＶＮＩに設定される。このグループ化にあたっては任意の単位でグループ化してかまわないので、例えば、接続するネットワーク単位、アプリケーション単位、サービス種別単位、課金種別単位、ユーザ単位、優先度単位およびそれらの任意の組合せ単位などが想定される。
【００７４】
予め定義した所定のフィールドには、同一ＶＮＩ内でルーティング制御されるグループ内において、異なるトラヒック制御が行えるような優先度情報やサービス種別情報などがトラフィック制御情報として設定される。優先度情報やサービス種別情報としては、前述したようにＣｏＳ、ＱＣＩ、Ｓｅｒｖｉｃｅ  Ｃｌａｓｓ  Ｉｎｄｉｃａｔｏｒなどが使われるが、新たに定義した任意の情報を用いてもかまわない。
【００７５】
ＶＸＬＡＮヘッダ付加部２３は、ＶＸＬＡＮヘッダ生成部２２が生成した送信ＶＸＬＡＮヘッダを、送信すべきパケットに付加してＶＸＬＡＮヘッダ付加出力パケットをバックホールインタフェース部２９に出力する。
【００７６】
バックホールインタフェース部２９は、例えばＳ１−ｕインタフェースをサポートして、バックホールを介して対向するコアネットワーク装置との間で所定のプロトコルに従った通信を行って、ＶＸＬＡＮヘッダが付加されたパケットの送受信を行う。
【００７７】
ＶＸＬＡＮヘッダ除去部２４は、バックホールインタフェース部２９から受信したＶＸＬＡＮヘッダ付加入力パケットからＶＸＬＡＮヘッダを除去する。そして、ＶＸＬＡＮヘッダを除去したパケットをトラフィック制御部２６に、除去したＶＸＬＡＮヘッダをＶＸＬＡＮヘッダ解析部２５にそれぞれ出力する。ＶＸＬＡＮヘッダ付加入力パケットから除去したＶＸＬＡＮヘッダを受信ＶＸＬＡＮヘッダとも称する。
【００７８】
ＶＸＬＡＮヘッダ解析部２５は、解析対象の受信ＶＸＬＡＮヘッダのＶＮＩフィールドに設定された論理ネットワーク番号と、予め定義した所定のフィールドに設定された優先度情報やサービス種別情報を抽出する。ＶＸＬＡＮヘッダ解析部２５は、ＶＮＩおよび所定のフィールドに対する設定値の付与ルールに従って、抽出した論理ネットワーク番号、優先度情報、サービス種別情報等をトラフィック制御情報としてトラフィック制御部２６に出力する。
【００７９】
トラフィック制御部２６は、ＶＸＬＡＮヘッダ除去部２４が出力したパケットに対し、ＶＸＬＡＮヘッダ解析部２５が出力するトラフィック制御情報に基づくトラフィック制御を行って、出力パケットとして無線インタフェース部２８に出力する。実行されるトラフィック制御としては、優先制御やシェーピングおよびルート分離などが行われる。
【００８０】
また、トラフィック制御情報取得部２７は、図示しないネットワーク管理装置からトラフィック制御に関わる情報を取得する。
【００８１】
ネットワーク管理装置は、ネットワークに設置され、ネットワーク内の各装置と接続されてネットワーク状況を集中管理する装置である。そして、ネットワーク管理装置は、ネットワークトラフィックの状況に応じてＶＮＩの利用状況を把握し、それに基づいて各装置にトラフィック制御指示を行う装置である。例えば、ＶＮＩ単位でトラフィック制御を行いたい場合、ネットワーク管理装置はＶＮＩ単位でトラフィック量や経路を把握して、関連する各装置に対してトラフィック制御指示を行う。
【００８２】
なお、トラフィック制御情報取得部２７は自装置のパケット処理量に基づいてトラフィック状況を把握して、該トラフィック状況に基づくトラフィック制御情報を生成する機能も備える。例えば、任意の単位で輻輳を検出して、その輻輳状況に応じて設定するＶＮＩの値や優先度情報を変えるように制御してもよい。
【００８３】
このように、トラフィック制御情報取得部２７は、ネットワーク管理装置から取得、または自ら生成したトラフィック制御情報をＶＸＬＡＮヘッダ生成部２２およびトラフィック制御部２６に出力する。もちろん、トラフィック制御情報取得部２７は、ネットワーク管理装置からトラフィック制御情報を取得し、かつ自らトラフィック制御情報を生成するように構成してもかまわない。
【００８４】
ＶＸＬＡＮヘッダ生成部２２では、トラフィック制御情報取得部２７から受け取ったトラフィック制御情報に基づいてＶＸＬＡＮヘッダのＶＮＩや所定のフィールドに設定する値を変える。この場合、ＶＸＬＡＮヘッダ生成部２２は、トラフィック制御情報として指示された値をそのまま設定してもよい。また、ＶＸＬＡＮヘッダ生成部２２は、論理グループ／ＱｏＳ識別部２１から通知される情報とＶＮＩおよび所定のフィールドに設定する値との対応関係を示す情報を、トラフィック制御情報として指示された値に基づいて適宜変えるように構成してもよい。
【００８５】
トラフィック制御部２６は、ＶＸＬＡＮヘッダ解析部２５が出力したトラフィック制御情報の代わりに、トラフィック制御情報取得部２７から受け取ったトラフィック制御情報に基づくトラフィック制御を実行する。また、トラフィック制御部２６は、トラフィック制御情報取得部２７から受け取ったトラフィック制御情報と、ＶＸＬＡＮヘッダ解析部２５が出力したトラフィック制御情報とを加味したトラフィック制御を実行してもよい。
【００８６】
このように、トラフィック制御情報取得部２７と連動してＶＸＬＡＮヘッダを生成し、トラフィック制御を行うことにより、ネットワーク全体を考慮したトラフィック制御の実行が可能になる。
【００８７】
また、上記の説明ではＶＸＬＡＮヘッダに設定する情報を入力パケットから識別する、またはトラフィック制御情報取得部２７で取得するとしたが、コアネットワーク側からＶＮＩやトラフィック制御情報を通知するように構成してもかまわない。
【００８８】
例えば、初期状態ではＶＸＬＡＮヘッダにダミーの情報を設定しておき、コアネットワーク側でサービス内容等を把握、確定した段階で、使用すべき情報を通知するようにしてもよい。また、アプリケーションやサービスに対応する所定の情報を設定しておき、ユーザの使用するアプリケーションやサービスが変わった段階で、その変わった後のアプリケーションやサービスに対応する情報をコアネットワーク側から通知するようにしてもよい。
【００８９】
このような制御を行う場合、図示しないコアネットワーク装置は、ＶＸＬＡＮヘッダに更新情報を付してパケットを送信してくる。
【００９０】
例えば、受信ＶＸＬＡＮヘッダに更新情報の通知が含まれることを示す情報として、フラグ部または予め定義した任意のビットに更新フラグが付される。そして、更新すべき論理ネットワーク番号はＶＮＩフィールドに、更新すべきトラフィック制御情報は予め定義した所定のフィールドに設定されて通知される。
【００９１】
したがって、ＶＸＬＡＮヘッダ解析部２５は、受信ＶＸＬＡＮヘッダに所定の更新フラグが付されている場合、コアネットワーク装置からの更新通知であると認識する。この場合、ＶＸＬＡＮヘッダ解析部２５は、ＶＮＩフィールドに設定された論理ネットワーク番号と、予め定義した所定のフィールドに設定されたトラフィック制御情報を、ヘッダ更新情報としてＶＸＬＡＮヘッダ生成部２２に出力する。
【００９２】
ＶＸＬＡＮヘッダ生成部２２は、ヘッダ更新情報の通知を受けると、該ヘッダ更新情報に基づいて、論理グループ／ＱｏＳ識別部２１から通知される情報と、送信ＶＸＬＡＮヘッダに設定する情報との対応関係を更新する。
【００９３】
以上が、本実施形態における通信装置２の構成である。
【００９４】
なお、上記のように通信装置２を図３に示した概念図のｅＮＢ１００と想定して説明したが、通信装置２はＬ３−ＳＷ２００であってもかまわない。通信装置２がＬ３−ＳＷ２００の場合、図１０に示した無線インタフェース部２８に替えてコアネットワークインタフェース部が設置される。コアネットワークインタフェース部は、例えばＳ５インタフェースをサポートして、コアネットワークの他のコアネットワーク装置との間で所定のプロトコルに従った通信を行う構成である。
【００９５】
次に、図１１および図１２を参照して、本実施形態の通信装置２の動作を説明する。
【００９６】
図１１は、第２の例示的な実施形態の通信装置２のバックホールへのパケット送信時の動作を示すフロー図である。
【００９７】
無線インタフェース部２８から入力パケットを受信し、該入力パケットが属する論理グループおよびＱｏＳ情報を識別する（Ｓ３０１）。ここでは、前述したＶＸＬＡＮヘッダのＶＮＩおよび所定のフィールドに設定すべき情報を識別して抽出する。
【００９８】
ここで、トラフィック制御情報を別途取得しているか否かが判定される（Ｓ３０２）。トラフィック制御情報は、ネットワーク管理装置から指示されて取得するトラフィック制御情報と自ら取得したトラフィック制御情報とがある。
【００９９】
このようなトラフィック制御情報を取得していない場合（Ｓ３０２、Ｎｏ）、ステップＳ３０１で識別した論理グループとＱｏＳ情報に基づいて、送信ＶＸＬＡＮヘッダを生成する（Ｓ３０３）。送信ＶＸＬＡＮヘッダのＶＮＩには論理ネットワーク番号が、所定のフィールドにはトラフィック制御情報が設定される。
【０１００】
トラフィック制御情報を取得している場合（Ｓ３０２、Ｙｅｓ）、取得したトラフィック制御情報に基づいて、送信ＶＸＬＡＮヘッダを生成する（Ｓ３０４）。なお、前述したように、取得したトラフィック情報をそのまま使ってもよいし、ステップＳ３０１で識別した論理グループとＱｏＳ情報とＶＮＩおよび所定のフィールドに設定する値との対応関係を示す情報を適宜変えるようにしてもよい。
【０１０１】
そして、入力パケットに送信ＶＸＬＡＮヘッダを付加して、ＶＸＬＡＮヘッダ付加出力パケットを生成する（Ｓ３０５）。
【０１０２】
ＶＸＬＡＮヘッダ付加出力パケットを、所定のプロトコルでバックホールに出力する（Ｓ３０６）。
【０１０３】
図１２は、第２の例示的な実施形態の通信装置２のバックホールからのパケット受信時の動作を示すフロー図である。
【０１０４】
バックホールからＶＸＬＡＮヘッダ付加入力パケットを受信する（Ｓ４０１）。
【０１０５】
次に、該ＶＸＬＡＮヘッダ付加入力パケットに付加された受信ＶＸＬＡＮヘッダを除去する。そして、受信ＶＸＬＡＮヘッダのＶＮＩフィールドに設定された論理ネットワーク番号と、予め定義した所定のフィールドに設定されたトラフィック制御情報を抽出する（Ｓ４０２）。
【０１０６】
ここで、トラフィック制御情報を別途取得しているか否かが判定される（Ｓ４０３）。トラフィック制御情報は、ネットワーク管理装置から指示されて取得するトラフィック制御情報と自ら取得したトラフィック制御情報とがある。
【０１０７】
このようなトラフィック制御情報を取得していない場合（Ｓ４０３、Ｎｏ）、ステップＳ４０２で抽出した論理ネットワーク番号と優先制御情報に基づいて、受信ＶＸＬＡＮヘッダを除去したパケットに対してトラフィック制御を実施する（Ｓ４０４）。
【０１０８】
一方、トラフィック制御情報を取得している場合（Ｓ４０３、Ｙｅｓ）、取得したトラフィック制御情報に基づいて、トラフィック制御を実施する（Ｓ４０５）。また、このとき、取得したトラフィック制御情報とステップＳ４０２で抽出した情報とを加味したトラフィック制御を実行してもよい。
【０１０９】
その後、出力パケットを送信する（Ｓ４０６）。
【０１１０】
以上に説明したように、本実施形態は、モバイルネットワークの通信装置がＶＸＬＡＮをサポートする機能を具備し、ＶＮＩフィールドに論理ネットワーク番号を設定し、予め定義した所定のフィールドにトラフィック制御情報を設定するように構成した。そのため、２４ビット用意されているＶＮＩ単位でネットワークや通信経路を分離することができ、モバイルネットワークの拡張に容易に対応できる。また、予め定義した所定のフィールドに設定するトラフィック制御情報により、同一のＶＮＩに対してもトラフィックの違いを意識させることができ、同一のＶＮＩであっても異なったトラフィック制御をきめ細かく実施することができる。その結果、今後ますます増大するリアルタイムマルチメディアサービスに対して要求される高信頼性、高品質、きめ細かなＱｏＳ制御に対応することができる。
【０１１１】
また、上述の例示的な実施の形態は、ハードウェアの構成として説明したが、例示的な実施形態は、これに限定されるものではない。
【０１１２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１３】
以上、例示的な実施形態を参照して本願発明を説明したが、本願発明は上記実施形態に限定されるものではない。本願発明の構成や詳細には、本願発明のスコープ内で当業者が理解し得る様々な変更をすることができる。
【０１１４】
この出願は、２０１４年３月１４日に出願された日本出願特願２０１４−０５２３４９を基礎とする優先権を主張し、その開示の全てをここに取り込む。
【符号の説明】
【０１１５】
１、２    通信装置
１１    論理グループ／ＱｏＳ識別手段
１２    ＶＸＬＡＮヘッダ付加手段
１３    ＶＸＬＡＮヘッダ除去手段
１４    トラフィック制御手段
２１    論理グループ／ＱｏＳ識別部
２２    ＶＸＬＡＮヘッダ生成部
２３    ＶＸＬＡＮヘッダ付加部
２４    ＶＸＬＡＮヘッダ除去部
２５    ＶＸＬＡＮヘッダ解析部
２６    トラフィック制御部
２７    トラフィック制御情報取得部
２８    無線インタフェース部
２９    バックホールインタフェース部
３０    バックホール
４０    コアネットワーク
１００、１０１、１０２、１０３    ｅＮＢ
２００、２０１、２０２    Ｌ３−ＳＷ
【図１】
2015136875.tif 000003
【図２】
2015136875.tif 000004
【図３】
2015136875.tif 000005
【図４】
2015136875.tif 000006
【図５】
2015136875.tif 000007
【図６】
2015136875.tif 000008
【図７】
2015136875.tif 000009
【図８】
2015136875.tif 000010
【図９】
2015136875.tif 000011
【図１０】
2015136875.tif 000012
【図１１】
2015136875.tif 000013
【図１２】
2015136875.tif 000014
【国際調査報告】
2015136875.tif 000015
2015136875.tif 000016
2015136875.tif 000017
2015136875.tif 000018